(57)【特許請求の範囲】
【請求項１】
組立ハウスにおいて相対向して開口する一対の溝形材間に落とし込んで固定される外枠と、外枠により支軸の周りに揺動開放可能に支持される窓用内枠と、この内枠を開放付勢する付勢手段を含み内枠の支軸に垂直な平面内で内枠の揺動を案内する伸縮式付勢アームと、閉じられた内枠を解除可能にロックするロック部と、ロック部のロックを伝動部材を介して解除するための操作部材とを備え、
上記伸縮式付勢アームおよびロック部が、内枠の閉鎖時に内枠と外枠との対向側面間に配置されて外枠の前後方向に関して外枠の外法寸法内に収められるようにしてあり、
上記伝動部材は、ロック部と操作部材とを連結する操作ワイヤと、この操作ワイヤの所要部を摺動自在に収容し外枠に固定され外枠を貫通する屈曲状の案内筒とを含むことを特徴とする落とし込み式排煙窓用サッシ。
【請求項２】
請求項１に記載の落とし込み式排煙窓用サッシにおいて、
上記ロック部は、進退可能な係合突起を有し外枠に固定されるロック部本体と、内枠に固定される係止片とを含み、係止片は内枠の開放方向に対向する対向面を有し、ロック状態では、進出した係合突起が、閉じられた内枠の係止片の上記対向面に係合することを特徴とする落とし込み式排煙窓用サッシ。
【請求項３】
請求項１または２に記載の落とし込み式排煙窓用サッシにおいて、
上記ロック部および伸縮式付勢アームを少なくとも屋外側で覆うカバーをさらに備えることを特徴とする落とし込み式排煙窓用サッシ。
【発明の詳細な説明】
【０００１】
【発明の属する技術分野】
本発明は、建物内の煙等を排出するための排煙窓用サッシに関する。特に、組立ハウスにおいて相対向して開口する一対の溝形材間に落とし込んで固定される落とし込み式排煙窓用サッシに関する。
【０００２】
【従来の技術および発明が解決しようとする課題】
組立ハウスは、簡易な構造で仮設の建物等に利用され、例えば、コンクリート製の基礎に、形鋼製の柱を立設し、この柱に梁、屋根材、筋交い等の部材を取り付けて骨組みとし、この骨組みに壁パネルや窓用サッシを、例えば、図６に示すように取り付けている。
上述の柱２は、Ｃ型チャンネル材等を利用し、その溝３を隣接する一対の柱２同士で対向して開口するようにしている。窓用サッシ９０は、柱２の相対向する溝３間を、柱２の上端から溝３に沿いつつ下方に移動して、落とし込むようにして取り付けられる。
【０００３】
このような落とし込み式の窓用サッシ９０には、屋内の煙を屋外に排出するための排煙窓用のものがある。この排煙窓用サッシ９０は、建物に固定される外枠と、この外枠に開閉可能に支持される内枠とを有している。この内枠を開放させるために、伸縮式付勢アーム９１が室内側に突出して取り付けられていた。
しかし、付勢アーム９１が室内側に突出していると、窓用サッシ９０を柱２の溝３へ落とし込む際に、柱２に固定された梁４等と干渉することがある。その結果、排煙窓用サッシ９０の組み付けができない場合があった。
【０００４】
そこで、本発明の目的は、上述の技術的課題を解決し、サッシが梁等に接近する場合であっても、より広範囲の建物に取り付け可能な落とし込み式排煙窓用サッシを提供することである。
【０００５】
【課題を解決するための手段および発明の効果】
請求項１に記載の発明は、組立ハウスにおいて相対向して開口する一対の溝形材間に落とし込んで固定される外枠と、外枠により支軸の周りに揺動開放可能に支持される窓用内枠と、この内枠を開放付勢する付勢手段を含み内枠の支軸に垂直な平面内で内枠の揺動を案内する伸縮式付勢アームと、閉じられた内枠を解除可能にロックするロック部と、ロック部のロックを伝動部材を介して解除するための操作部材とを備え、上記伸縮式付勢アームおよびロック部が、内枠の閉鎖時に内枠と外枠との対向側面間に配置されて外枠の前後方向に関して外枠の外法寸法内に収められるようにしてあり、上記伝動部材は、ロック部と操作部材とを連結する操作ワイヤと、この操作ワイヤの所要部を摺動自在に収容し外枠に固定され外枠を貫通する屈曲状の案内筒とを含むことを特徴とする落とし込み式排煙窓用サッシを提供する。
【０００６】
この発明によれば、閉じた状態で伸縮式付勢アームが外枠から屋内側および屋外側へ突出しないので、仮にサッシが、落とし込む際に建物の梁等と接近する場合であったとしても、伸縮式付勢アームと梁等とが干渉することを防止できる。その結果、本サッシをより広範囲の建物に取り付けることができる。
さらに、サッシを落とし込む際に、梁等とロック部とが干渉することを防止できる。従って、本サッシをより一層広範囲の建物に取り付けることができる。
【０００７】
また、操作ワイヤを自在に取り回すための構造を案内筒により簡素化でき、例えば、滑車を省略することができる。
【０００８】
請求項２に記載の発明は、請求項１に記載の落とし込み式排煙窓用サッシにおいて、上記ロック部は、進退可能な係合突起を有し外枠に固定されるロック部本体と、内枠に固定される係止片とを含み、係止片は内枠の開放方向に対向する対向面を有し、ロック状態では、進出した係合突起が、閉じられた内枠の係止片の上記対向面に係合することを特徴とする。
請求項３に記載の発明は、請求項１または２に記載の落とし込み式排煙窓用サッシにおいて、上記ロック部および伸縮式付勢アームを少なくとも屋外側で覆うカバーをさらに備えることを特徴とする落とし込み式排煙窓用サッシを提供する。この発明によれば、ロック部および伸縮式付勢アームを雨から保護しつつ、サッシの見栄えを向上することができる。
【０００９】
【発明の実施の形態】
以下、本発明の一実施形態の落とし込み式排煙窓用サッシ（以下、単にサッシともいう。）を図面を参照しつつ説明する。図１は、上述のサッシの概略構成を示す斜視図である。図２は、サッシの開閉を説明するための模式図である。
サッシ１は、建物の柱部材２に固定される外枠１０と、外枠１０により支軸１２の周りに揺動開放可能に支持される窓用内枠１１と、この内枠１１を開放付勢する付勢手段を含み内枠１１の支軸１２に垂直な平面Ｖ（図３参照。平面Ｖは図２の紙面と平行になる。）内で内枠１１の揺動を案内する伸縮式付勢アーム１３（以下、単に付勢アーム１３ともいう。）とを備える。
【００１０】
外枠１０は、一対の開口１４を有し、各開口１４に内枠１１がそれぞれ取り付けられている。付勢アーム１３は、各内枠１１の左右両側に設けられている。一対の内枠１１は、ほぼ同様に構成されている。以下では、一方、例えば、正面視で左側のものについて説明する。また、方向を、屋外側からみたときの正面視をもとにして説明し、屋内側から屋外側へ向かう前後方向を示す矢印Ｘ、左右方向を示す矢印Ｙ、上下方向を示す矢印Ｚを各図に示している。
【００１１】
建物の柱部材２には、例えば、溝形材としてリップ溝形鋼が利用される。この柱部材２は、側方に開口し上下に延びる溝３を有する。組立ハウスにおいては、一対の溝形材が、その溝３が相対向して開口するように配置され、一対の溝形材間に、外枠１０を溝３に沿わせつつ落とし込むことにより、サッシ１を建物の柱部材２に固定する。溝形材としては、リップ溝形鋼の他、Ｃ型チャンネル鋼を例示でき、この他、上述の溝３を有する部材であればよく、例えば、断面Ｈ字形形状の部材でもよい。なお、図１では、開閉状態を示すために左側の内枠１１が開いた状態とされているが、サッシ１を溝３に沿って落とし込む際には、内枠１１は閉じた状態とされる。
【００１２】
外枠１０は、サッシ１の外形を形成する。外枠１０は、正面視で横長の長方形に形成されていて、上述の一対の開口１４を左右に並べて配置している。外枠１０は、正面視で上端および下端に配置されて左右方向に沿って延びる一対の横材３０，３１と、左端および右端に配置されて上下方向に沿って延びる一対の縦材３２，３３と、一対の開口１４の間に配置される縦材３４とを有している。また、外枠１０は、左右の端部に柱部材２の溝３内に嵌まり込む部分を有している。横材３０，３１および縦材３２〜３４は、アルミニウム押出し材により形成されていて、開口１４を区画しつつそれぞれ対応する内枠１１の対向側面４４と対向する対向側面３６と、対向側面３６の室内側の縁部から開口１４の内方に向けて所定長さで延びるフランジ部３７とを有している。下側の横材３１の対向側面３６に、内枠１１が支軸１２で回動自在に支持されている。
【００１３】
内枠１１は、外枠１０の一つの開口１４の内形に対応して形成される。内枠１１は、閉じた状態で、上下に分かれて配置され左右方向に沿って延びる一対の横材４０，４１と、左右に分かれて配置され上下方向に沿って延びる一対の縦材４２，４３と、上述の支軸１２と、支軸１２を回動自在に支持し互いに相対回動可能な一対の支持部材４５，４６とを有している。
支軸１２と一対の支持部材４５，４６とは蝶番を構成し、左右方向に延びる回動軸線を有する。一方の支持部材４６は外枠１０に固定され、他方の支持部材４５は、内枠１１の下側の横材４１に固定される。
【００１４】
横材４０，４１および縦材４２，４３は、枠形状をなし、その枠の内部に所望の板状の遮蔽部材１５、例えば、ガラス板、パネル材等を取り付けることができる。遮蔽部材１５と内枠１１とが、開閉部材としての窓を構成する。横材４０，４１および縦材４２，４３の各材は、アルミニウム押出し材により形成されていて、それぞれ対応する外枠１０の対向側面３６と対向する対向側面４４を有している。また、上側の横材４０および一対の縦材４２，４３には、対向側面４４の室外側の縁部から内枠１１の外側に向けて所定長さで延びるフランジ部４７を有している。このフランジ部４７の先端は、閉じた状態で、外枠１０の開口１４内に収容されるようになっている。
【００１５】
また、外枠１０のフランジ部３７には、シール材１６が取り付けられている。このシール材１６は、開口１４を取り囲む環状に配置され、閉じた状態の内枠１１の周縁部と当接して、外枠１０と内枠１１との間を封止する。
付勢アーム１３は、略円柱形状をなし、軸線方向に伸縮することにより軸線方向の一端が他端に対して相対移動可能とされている。付勢アーム１３は、例えば、案内手段としてのチューブ５０と、このチューブ５０内をその軸線方向に沿って摺動自在のピストン５１およびロッド５２とを有している。チューブ５０の一端からロッド５２が延び出している。これにより、チューブ５０がピストン５１およびロッド５２を案内するとともに、その移動量を規制する。また、ピストン５１およびロッド５２がチューブ５０内を摺動するときの摺動抵抗により開成時の緩衝部材としても機能する。また、付勢アーム１３は、付勢手段として、チューブ５０内に配置されてピストン５１を付勢する、いわゆるガスばね５３（図２に模式的に図示。）を有している。このガスばね５３は、ピストン５１によりチューブ５０内に区画されるガス室（ベローズで区画してもよい。）内に高圧ガスを封入したもので、この高圧ガスの付勢力によりロッド５２がチューブ５０から延び出すように、ピストン５１を常時付勢している。上端となる付勢アーム１３のロッド５２の一端が、内枠１１の対応する縦材４２，４３の対向側面４４の中間部に回動自在にピン５４により取り付けられ、下端となる付勢アーム１３のチューブ５０の端が外枠１０の対応する縦材３２〜３４の対向側面３６の下端部近傍に回動自在にピン５５により取り付けられている。付勢アーム１３の両端は、支軸１２と平行な軸線の周りに回動自在とされる。これにより、付勢アーム１３は、内枠１１を開く方向に付勢している。
【００１６】
サッシ１は、上述の付勢アーム１３の付勢力に抗して内枠１１を閉じた状態にロックでき、また、操作部５７の操作により内枠１１の閉じた状態を解除可能なロック部１７を有している。
ロック部１７は、外枠１０に固定されるロック部本体５６と、このロック部本体５６に対応して内枠１１に固定される係止片６０とを有している。ロック部本体５６は、そのケースに対して進退可能とされて係止片６０と係合可能な係合突起５８と、この係合突起５８を進退操作するための上述の操作部５７とを有している。操作部５７が、後述する操作ワイヤ１８を介して所定の方向、例えば、左側に向けて引っ張り操作されたときにのみ、係合突起５８は本体５６内に入り、操作部５７が操作されていない状態では、係合突起５８は本体５６から進出した状態に自律的に戻るようにされる。係合突起５８は、進出状態とされたときに、閉じた状態の内枠１１の係止片６０と係合してロック状態を維持でき、また、本体５６に入った状態で、係止片６０との係合を解除するようになっている。
【００１７】
これにより、ロック部１７のロック状態が解除されると、内枠１１を含む窓は速やか且つ確実に回動し、開口１４を開放して、排煙を行うことができる。なお、内枠１１を閉じるには、内枠１１の上部に設けられた環状部材１９を持って、手動操作で閉じる。
特に、本発明の実施形態では、図３および図４に示すように、付勢アーム１３およびロック部１７が、内枠１１の閉鎖時に、上下方向に延びた状態で、外枠１０と内枠１１との対向側面３６，４４間に配置されて、外枠１０の外法寸法内に収められるようにしてあり、外枠１０の最も室内側となる部分を通り前後方向と垂直な平面よりも室外側になり外枠１０の奥行き寸法Ｌ１の範囲の領域に配置される。また、付勢アーム１３およびロック部１７は、内枠１１のフランジ部４７と、外枠１０のフランジ部３７との間に配置されている。
【００１８】
このように、閉じた状態で付勢アーム１３が外枠１０から屋内側および屋外側へ突出しないので、仮にサッシ１を落とし込む際に建物の梁４（図１参照）等に接近する場合であっても、付勢アーム１３と梁４等とが干渉することを防止できる。その結果、従来のサッシでは取り付けることができないような建物にも、本サッシ１を取り付けることができ、より広範囲の建物に適用できる。
さらに、ロック部１７が、外枠１０の外法寸法内に収められる場合には、サッシ１を落とし込む際に、ロック部１７と梁４等とが干渉することも確実に防止でき、本サッシ１をより一層広範囲の建物に取り付けることができる。
【００１９】
また、サッシ１は、図５に示すように、ロック部１７のロックを伝動部材２０を介して解除するための操作部材２１をさらに有している。伝動部材２０は、ロック部１７と操作部材２１とを連結する鋼線製の操作ワイヤ１８と、この操作ワイヤ１８の所要部、例えば、案内される経路が屈曲している部分を摺動自在に収容し外枠１０に固定される屈曲状の案内筒２２とを有している。
案内筒２２は、外枠１０を貫通して室内側に配置される部分の一端２３が、下方に向けて開口している。一端２３から操作ワイヤ１８が導出されている。導出された操作ワイヤ１８の端部には、金具２５を介して、操作部材２１が着脱可能に取り付けられている。
【００２０】
操作部材２１は、所定長さの紐部材２７と、紐部材２７の上端に設けられて上述の金具２５に引っ掛けられる金具２６と、紐部材２７の下端に設けられる握り部材２８とを有している。
また案内筒２２は、外枠１０を貫通して屋外側に配置される部分が、両枠１０，１１の対向側面３６，４４間に外枠１０に沿って延びる。案内筒２２の他端２４からは、操作ワイヤ１８がロック部１７まで延びている。操作ワイヤ１８は、途中部で一方のロック部１７の操作部５７とかしめ等により左右方向に一体的に移動可能に連結され、図示しないが、外枠１０の縦部材３４の孔を通り、端部で他方のロック部１７の操作部５７も同様に連結される。なお、操作ワイヤ１８のほぼ全体を案内筒２２に収容してもよい。
【００２１】
このように、操作ワイヤ１８等の柔軟で引っ張り操作される索体を方向自在に取り回しできる構造を案内筒２２により簡素化でき、例えば、従来の滑車を省略することができる。なお、ロック部１７を操作するための操作ワイヤ１８の移動量は、通例、わずかな量なので、滑車無しでも問題なく操作できる。
また、ロック部１７をサッシ１の内部に収容するのに伴い、操作ワイヤ１８の一部、本実施形態ではその大部分をサッシ１の内部に収容できるので、外観を向上するのに好ましい。
【００２２】
また、サッシ１は、ロック部１７および伸縮式付勢アーム１３を屋外側で覆うカバー２９を有している。このカバー２９は、内枠１１のフランジ部４７と、このフランジ部４７に対応して外枠１０の上側の対向側面４４に固定されてラビリンスを構成する柔軟なゴム製のフランジ状カバー３８と、フランジ部４７の先端に固定されて外枠１０の対向側面４４と摺接可能な柔軟なゴム製のフランジ状カバー４８とを有する。
【００２３】
このように、カバー２９は、閉じた状態で対向側面３６，４４間への雨水の進入を防止できるので、ロック部１７および付勢アーム１３を雨から保護でき、しかも、カバー２９が外枠１０および内枠１１の少なくとも一方に固定されて、サッシ１の見栄えが向上する。さらに、ロック部１７および付勢アーム１３に屋外からの埃や塵等が付着することを抑制できる。
また、サッシ１では、ロック部１７および付勢アーム１３を屋内側でカバーとしての外枠１０のフランジ部３７により覆うようにしている。これにより、サッシ１の屋内側からの見栄えが向上し、さらに、ロック部１７および付勢アーム１３に屋内側からの埃や塵等が付着することを抑制できる。
【００２４】
このように本発明の実施形態では、ロック部１７および伸縮式付勢アーム１３等のサッシ１の付属金物を内部に収容した組立ハウス用建材としての、隠蔽式の落とし込み排煙窓１を実現することができる。
付属金物が突出しないので、サッシ１が建物の骨組み部材、例えば、支持金物、ターンバックル、床材に干渉せずに済む。例えば、付勢アーム１３が突出する従来のサッシでは、建物が重量骨を使用する場合、建物の梁等がサッシ１に接近すると、通例、組み付けができない。また、２階建て、３階建ての建物では、内部柱補強胴差、ラチス、床（スラブ）、ブレース等が、柱に直交して水平方向にも延びていて、サッシの突出した金物と干渉し易くなっていた。これに対して本発明のサッシ１は、干渉を生じずに容易に組み付けることができる。
【００２５】
従って、落とし込む際に伸縮式付勢アーム１３が邪魔にならず、サッシ１を手間をかけずに容易に組み込むことができ、組み付けのコストを低減できる。
また、付属金物が突出していると、サッシを組み付けた後に付属金物が工事により破損することが想定され、これを防止するために、現場でのサッシの管理が長期にわたり必要となるが、本サッシ１では、このような管理を簡素化したり、省略したりできる。
【００２６】
また、付属金物を内部に収容しているので、見栄えを向上させることができ、例えば、外観がすっきりとして、見る人にものものしさを感じさせずに済む。また、サッシ１が薄く見えるので、この点でも見栄えの向上に寄与する。
また、付属金物を内部に配置して突出させないので、輸送時に付属金物の脱落や損傷を生じる虞がなく、また、突出した付属金物が周囲の他の物品を傷つけることも防止できる。
【００２７】
また、案内筒２２を用いて滑車を省略したものは、日常の操作頻度が低い非常用の排煙窓に好ましい。
なお、本発明は、開成時に内枠１１が屋外側に開く外開き式の上述のサッシ１の他、開成時に内枠１１が屋内側に開く内開き式のものに適用してもよい。
その他、本発明の特許請求の範囲で種々の変更を施すことが可能である。
【図面の簡単な説明】
【図１】本発明の一実施形態の排煙窓用サッシの模式的な斜視図であり、建物の柱等も図示されている。
【図２】図１の内枠の開閉動作を説明するための側面から見た模式図である。
【図３】図１の排煙窓用サッシのＡ部の断面平面図である。
【図４】図１の排煙窓用サッシの断面側面図である。
【図５】図１のロック部、伝動部材および操作部材の斜視図である。
【図６】従来のサッシの組み付け説明図であり、（ａ）は平面図、（ｂ）は正面図。
【符号の説明】
１  落とし込み式排煙窓用サッシ
２  柱部材（溝形材）
１０  外枠
１１  窓用内枠
１２  支軸
１３  伸縮式付勢アーム
１７  ロック部
１８  操作ワイヤ
２０  伝動部材
２１  操作部材
２２  案内筒
２９  カバー
３６  外枠の対向側面
４４  内枠の対向側面
５３  ガスばね（付勢手段）
Ｌ１  外枠の外法寸法
Ｖ  支軸に垂直な平面
【図１】
0003689663.tif 000002
【図２】
0003689663.tif 000003
【図３】
0003689663.tif 000004
【図４】
0003689663.tif 000005
【図５】
0003689663.tif 000006
【図６】
0003689663.tif 000007